(57)【要約】【課題】情報記録媒体に対する情報アクセスを行うヘッドを保持するヘッドアーム、および情報記録媒体に情報が記憶される情報記憶装置に関し、小型で高精度なヘッドアームおよび情報記憶装置を提供する。【解決手段】上記ヘッドを保持する役割の少なくとも一部を担った金属板と、上記金属板上に設けられて上記ヘッドに電気的に接続された、上記情報を表す信号が通るリードであって、その信号の電流がそのヘッドへと向かう第１の信号導線とその信号の電流がそのヘッドから戻ってくる第２の信号導線とを含む複数の導線が積層された、積層方向についてそれら第１の信号導線と第２の信号導線とが互いに対象に位置している、上記金属板上に載った導線部と、その導線部上に載った、上記金属板と同電位のグランド線とを有するリードとを備える。【選択図】図３
2007179626.tif 000002
【特許請求の範囲】
【請求項１】
情報記録媒体に対して情報のアクセスを行うヘッドを該情報記録媒体に近接あるいは接触させて保持するヘッドアームであって、
前記ヘッドを保持する役割の少なくとも一部を担った金属板と、
前記金属板上に設けられて前記ヘッドに電気的に接続された、前記情報を表す信号が通るリードであって、該信号の電流が該ヘッドへと向かう第１の信号導線と該信号の電流が該ヘッドから戻ってくる第２の信号導線とを含む複数の導線が積層された、積層方向について該第１の信号導線と該第２の信号導線とが互いに対象に位置している、前記金属板上に載った導線部と、該導線部上に載った、前記金属板と同電位のグランド線とを有するリードとを備えたことを特徴とするヘッドアーム。
【請求項２】
前記ヘッドが、情報記録媒体に対する情報記録と情報再生との双方を行うものであり、
前記リードとして、記録情報を表す記録信号が通る記録用リードと、再生情報を表す再生信号が通る再生用リードとを備えたことを特徴とする請求項１記載のヘッドアーム。
【請求項３】
前記ヘッドが、電流によって加熱されて変形することで前記情報記録媒体に近づく機能を有するものであり、
前記リードの導線部が、前記第１の信号導線と第２の信号導線との間に、前記ヘッドを変形させる電流を通す加熱用導線が積層されたものであることを特徴とする請求項１記載のヘッドアーム。
【請求項４】
所定の情報記録媒体を保持する媒体保持部；
前記情報記録媒体に対して情報のアクセスを行うヘッド；
前記ヘッドを前記情報記録媒体に近接あるいは接触させて保持するヘッドアームであって、
前記ヘッドを保持する役割の少なくとも一部を担った金属板と、
前記金属板上に設けられて前記ヘッドに電気的に接続された、前記情報を表す信号が通るリードであって、該信号の電流が該ヘッドへと向かう第１の信号導線と該信号の電流が該ヘッドから戻ってくる第２の信号導線とを含む複数の導線が積層された、積層方向について該第１の信号導線と該第２の信号導線とが互いに対象に位置している、前記金属板上に載った導線部と、該導線部上に載った、前記金属板と同電位のグランド線とを有するリードとを備えたヘッドアーム；および
前記ヘッドが前記情報記録媒体の表面に沿って移動するように前記ヘッドアームを駆動する駆動部；
を備えたことを特徴とする情報記憶装置。
【発明の詳細な説明】
【技術分野】
【０００１】
本発明は、情報記録媒体に対する情報アクセスを行うヘッドを保持するヘッドアーム、および情報記録媒体に情報が記憶される情報記憶装置に関する。
【背景技術】
【０００２】
従来より、パーソナルコンピュータやワードプロセッサ等といった電子機器に内蔵、あるいは接続される情報記憶装置として、磁気ディスク（ハードディスク）に磁気で情報を記憶させるハードディスクドライブ（ＨＤＤ）や、光磁気（ＭＯ）ディスクに光および磁気で情報を記憶させるＭＯディスク装置などが知られている。
【０００３】
ＨＤＤには一般に、情報記録媒体としての磁気ディスクと、磁気ディスクに対し記録ビットを読み書きする磁気ヘッドが備えられており、その磁気ヘッドを搭載したスライダと、スライダを磁気ディスクに近接させて保持するヘッドアームと、そのヘッドアームを駆動することによって磁気ヘッドを磁気ディスクに沿って移動させるアクチュエータも備えられている。
【０００４】
このハードディスクドライブの記録密度は、パーソナルコンピュータ等が発達するにつれて高密度化しており、特に近年、画像や音楽をパーソナルコンピュータ等で取り扱う需要が高まるにつれて飛躍的に高密度化している。そして、ハードディスクドライブの高記録密度化に伴い、磁気ディスク上の記録ビットが微細化し、ディスク回転速度が増加しており、その結果、磁気ヘッドの位置決めの高精度化や高速化の要望が高まっている。また、製造容易性の向上や小型化の要望も強い。
【０００５】
このような要望に対し、ハードディスクドライブのヘッドアームの細部に工夫を加えてヘッドの位置決めの高精度化や高速化を図る技術が提案されている。例えば、スライダを保持するアクチュエータの一部を構成した板バネ状のサスペンションの縁を折り曲げて、外力を受けたときの振動を軽減する技術が特許文献１および特許文献２に示されている。また、スライダ上に搭載された磁気ヘッドに接続されて記録信号や再生信号が通る引込線（リード）として、導線の１本１本が互いに分離したワイヤリードに替えて、金属板上に複数本の導線が並列に敷設されたリードを採用する技術が特許文献３に示されている。
【０００６】
さらに、近年では、磁気ヘッドに加熱素子を埋め込んで、その加熱素子に電流を通して磁気ヘッドを加熱することで、スライダの磁気ヘッドが搭載されている箇所を熱膨張で突出させて磁気ディスクに近づける技術が開発されている。この技術によって、磁気ヘッドによって読み書きされる記録ビットの微少化が期待されているが、磁気ヘッドに接続される導線としては、記録用２本および再生用２本の合計４本備えられていた従来に対し、加熱用の２本が追加されて合計６本が必要となっている。このため、特許文献３に示されているように複数本の導線が並列に敷設されたリードは設置スペースの確保が難しいことや、磁気ディスクの回転などで生じる風に煽られて振動し、ヘッドの位置決め精度に悪影響を与えることが問題となってきている。
【０００７】
このような問題に対し、特許文献４には、導線を積層したリードを用いる技術が記載されており、この技術によってスペースを確保し、風の煽りを低減することが考えられる。
【特許文献１】特開昭６２−２７９５７０号公報
【特許文献２】実開平１−１７７４７３号公報
【特許文献３】特開平１０−１１６４０９号公報
【特許文献４】特開平９−２２５７０号公報
【発明の開示】
【発明が解決しようとする課題】
【０００８】
ところで、リードを通る記録信号や再生信号は、通常、外部からの磁気的ノイズなどを回避するため、電流が磁気ヘッドに向かう信号と磁気ヘッドから戻ってくる信号との差動信号となっているが、特許文献４に示されているように導線が積層されたリードでは、積層された各導線における各インピーダンスが相違しているため、各導線を通る信号の相互間にその相違による差分が生じてしまって差動信号が不正確となり、情報の記録再生に悪影響が生じるという問題がある。
【０００９】
このような問題は、ＨＤＤのみで生じる問題ではなく、アーム上のリードに記録信号や再生信号を通すタイプの情報記憶装置について一般的に生じる問題である。
【００１０】
本発明は上記事情に鑑み、小型で高精度なヘッドアームおよび情報記憶装置を提供することを目的とする。
【課題を解決するための手段】
【００１１】
上記目的を達成する本発明のヘッドアームは、
情報記録媒体に対して情報のアクセスを行うヘッドを情報記録媒体に近接あるいは接触させて保持するヘッドアームであって、
上記ヘッドを保持する役割の少なくとも一部を担った金属板と、
上記金属板上に設けられて上記ヘッドに電気的に接続された、上記情報を表す信号が通るリードであって、その信号の電流がそのヘッドへと向かう第１の信号導線とその信号の電流がそのヘッドから戻ってくる第２の信号導線とを含む複数の導線が積層された、積層方向についてそれら第１の信号導線と第２の信号導線とが互いに対象に位置している、上記金属板上に載った導線部と、その導線部上に載った、上記金属板と同電位のグランド線とを有するリードとを備えたことを特徴とするヘッドアーム。
【００１２】
本発明のヘッドアームによれば、第１の信号導線における電気的な配置環境と第２の信号導線における電気的な配置環境が、リードが載る金属板を含めて互いに同等となり、各信号導線における各インピーダンスも互いに同等となるので、差動信号の精度が高くて情報の記録及び又は再生の精度も高い。また、導線が積層されたリードが用いられるので、リードの設置面積が少なくて小型化が可能であるとともに風による煽りの影響も小さくてヘッドの位置決め精度が高い。
【００１３】
本発明のヘッドアームは、
「  上記ヘッドが、情報記録媒体に対する情報記録と情報再生との双方を行うものであり、
上記リードとして、記録情報を表す記録信号が通る記録用リードと、再生情報を表す再生信号が通る再生用リードとを備えた」
という形態が好ましい。
【００１４】
記録信号が通る導線と再生信号が通る導線の双方が１つのリード内に積層されると、それらの導線どうしの距離が近すぎて、信号が互いに干渉し合って精度が低下する恐れがあるので、記録信号が通る記録用リードと再生信号が通る再生用リードとを備えることが好ましい。
【００１５】
また、本発明のヘッドアームは、
「  上記ヘッドが、電流によって加熱されて変形することで上記情報記録媒体に近づく機能を有するものであり、
上記リードの導線部が、上記第１の信号導線と第２の信号導線との間に、上記ヘッドを変形させる電流を通す加熱用導線が積層されたものである」
という形態が好適である。
【００１６】
上述したように、近年では、加熱によって変形する機能が組み込まれたヘッドが提案されてきており、そのような機能に用いられる電流を通す導線が必要となってきている。
【００１７】
上記加熱用導線を備えた好適な形態のヘッドアームによれば、この加熱用導線の存在が第１の信号導線と第２の信号導線の各インピーダンスに与える影響が同等であるため、情報の記録再生に悪影響を及ぼすことなく省スペースで加熱用導線を導入することができる。
【００１８】
上記目的を達成する本発明の情報記憶装置は、
所定の情報記録媒体を保持する媒体保持具；
上記情報記録媒体に対して情報のアクセスを行うヘッド；
上記ヘッドを上記情報記録媒体に近接あるいは接触させて保持するヘッドアームであって、
上記ヘッドを保持する役割の少なくとも一部を担った金属板と、
上記金属板上に設けられて上記ヘッドに電気的に接続された、上記情報を表す信号が通るリードであって、その信号の電流がそのヘッドへと向かう第１の信号導線とその信号の電流がそのヘッドから戻ってくる第２の信号導線とを含む複数の導線が積層された、積層方向についてその第１の信号導線とその第２の信号導線とが互いに対象に位置している、上記金属板上に載った導線部と、その導線部上に載った、上記金属板と同電位のグランド線とを有するリードとを備えたヘッドアーム；および
上記ヘッドが上記情報記録媒体の表面に沿って移動するように上記ヘッドアームを駆動する駆動部；
を備えたことを特徴とする。
【００１９】
本発明の情報記憶装置が備えているヘッドアームは、上述したように高精度なものであるので情報記憶装置としても精度が高く、情報の高密度化や高速化にも対応することができる。また、この情報記憶装置が備えているヘッドアームは、上述したように小型化可能で風による煽りの影響も小さいので、小型の記録媒体を採用するとともに複数の記録媒体を互いに接近させて配置することができ、情報記憶装置全体の小型化が容易である。
【００２０】
なお、本発明の情報記憶装置については、ここではその基本形態のみを示すのにとどめるが、これは単に重複を避けるためであり、本発明の情報記憶装置には、上記の基本形態のみではなく、前述したヘッドアームの各形態に対応する各種の形態が含まれる。
【発明の効果】
【００２１】
以上説明したように、本発明によれば小型で高精度なヘッドアームおよび情報記憶装置が得られる。
【発明を実施するための最良の形態】
【００２２】
以下図面を参照して本発明の実施の形態を説明する。
【００２３】
図１は、本発明の一実施形態を示す図である。
【００２４】
この図１に示すハードディスクドライブ（ＨＤＤ）１００は、本発明の情報記録装置の一実施形態に相当するものであり、このハードディスクドライブ１００のハウジング１１０には、回転軸１２０に装着されて回転する磁気ディスク１３０と、磁気ディスク１３０に対して情報記録と情報再生を行う磁気ヘッドが搭載されたスライダ１４０と、スライダ１４０を保持する板バネ状のサスペンション１８０と、サスペンション１８０が固着されてアーム軸１５０を中心に磁気ディスク１３０表面に沿って移動するアーム本体１６０と、アーム本体１６０を駆動するアームアクチュエータ１７０が収容されている。ハウジング１１０の内部空間は、図示しないカバーによって閉鎖される。ここで、磁気ディスク１３０は、本発明にいう情報記録媒体の一例に相当し、回転軸１２０は、本発明にいう媒体保持部の一例に相当し、アームアクチュエータ１７０は、本発明にいう駆動部の一例に相当している。また、サスペンション１８０とアーム本体１６０と、後述するようにサスペンション１８０上に敷設されたリードとによって、本発明のヘッドアームの一実施形態が構成されている。
【００２５】
この図１では、スライダ１４０が磁気ディスク１３０の表面上から外れた待避位置に移動しているが、磁気ディスク１３０への情報記録および磁気ディスク１３０からの情報再生にあたっては、磁気回路で構成されたアームアクチュエータ１７０によってアーム本体１６０が駆動されることによってスライダ１４０が磁気ディスク１３０の表面上に繰り出され、回転する磁気ディスク１３０上の所望のトラックに位置決めされる。
【００２６】
図２は、サスペンション１８０部分の拡大図である。
【００２７】
サスペンション１８０の先端近くにはスライダ１４０が取り付けられており、サスペンション１８０はＳＵＳ板から作成されていて板バネとして作用する。また、サスペンション１８０上には記録用リード１９１と再生用リード１９２が敷設されており、それら記録用リード１９１および再生用リード１９２は、スライダ１４０に搭載された磁気ヘッドに電気的に接続されている。
【００２８】
スライダ１４０に搭載された磁気ヘッドは、図１に示す磁気ディスク１３０の回転に伴って、磁気ディスク１３０の各トラックに並ぶ各微小領域に順次近接する。情報の記録時には、このように磁気ディスク１３０に近接した磁気ヘッドに記録用リード１９１を介して電気的な記録信号が入力され、磁気ヘッドにより、その記録信号に応じてそれらの各微小領域に磁界が印加されて、その記録信号に担持された情報が各微小領域の磁化方向として記録される。また、情報の再生時には、各微小領域の磁化方向として記録された情報が、磁気ヘッドによって、それらの磁化それぞれが発生する磁界に応じた電気的な再生信号として取り出され、再生用リード１９２を介して出力される。
【００２９】
記録用リード１９１および再生用リード１９２は、後述するように導体パターンが積層された構造を有しており、これら記録用リード１９１および再生用リード１９２が設置されるスペースは小さく、サスペンション１８０やヘッドアームも小型となっている。
【００３０】
図３は、記録用リード１９１および再生用リード１９２の構造を概略的に示す断面図である。
【００３１】
本実施形態においては、記録用リード１９１および再生用リード１９２のそれぞれに、電流が流れる導線として３層の導体パターンが設けられている。即ち、サスペンション１８０の直上には再生用の第１の導体パターン１９８と記録用の第１の導体パターン１９５が載っていて、それらの第１の導体パターン１９８，１９５上には、磁気ヘッド素子を加熱するための電流が流れる加熱用の導体パターン１９６が積層されている。そして、その加熱用の導体パターン１９６の上には、上述した第１の導体パターン１９８，１９５それぞれと対になって差動信号を伝送するための再生用の第２の導体パターン１９７および記録用の第２の導体パターン１９４が積層されている。第１の導体パターン１９８，１９５と第２の導体パターン１９７，１９４のうちの一方で信号の電流が磁気ヘッドに向かって流れるときには、他方では信号の電流は磁気ヘッドから戻ってくることとなる。それらの第２の導体パターン１９７，１９４上には、サスペンション１８０の電位と同じ電位を有して電流が流れないグランドパターン１９３が積層されている。
【００３２】
このような積層構造の記録用リード１９１および再生用リード１９２によって、加熱用も含めて合計６本の導線がコンパクトに設置されている。また、このような積層構造のリードは風の煽りを受けにくい形状であるので磁気ヘッドの位置決め精度は高い。
【００３３】
ここで、サスペンション１８０は、本発明にいう金属板の一例に相当し、第１の導体パターン１９８，１９５および第２の導体パターン１９７，１９４は、本発明にいう第１の信号導線および第２の信号導線の各一例に相当し、加熱用の導体パターン１９６は、本発明にいう加熱用導線の一例に相当し、グランドパターン１９３は、本発明にいうグランド線に相当し、第１の導体パターン１９８，１９５、加熱用の導体パターン１９６、および第２の導体パターン１９７，１９４によって、本発明にいう導線部の一例が構成されている。
【００３４】
第１の導体パターン１９８，１９５と第２の導体パターン１９７，１９４は、積層方向（即ち、この図３の上下方向）について見ると、加熱用の導体パターン１９６を挟んで互いに対称な位置に積層されており、サスペンション１８０およびグランドパターン１９３を含めて、電磁気的な環境も互いに対称である。従って、第１の導体パターン１９８，１９５におけるインピーダンスと第２の導体パターン１９７，１９４におけるインピーダンスは同等となり、差動信号が精度よく伝送されることとなる。また、本実施形態では、記録用の導線と再生用の導線が別々のリードに分けて設けられているので、再生信号と記録信号との間での干渉が回避されて精度よく信号が伝送される。このように、再生信号や記録信号が精度よく伝送されるので、本実施形態のＨＤＤでは、高記録密度、高速アクセスが実現される。
【００３５】
なお、上記説明では、本発明の情報記憶装置の一実施形態として、磁気ヘッドが用いられたＨＤＤが示されているが、本発明は、光磁気ヘッドが用いられるＭＯドライブなどに応用されてもよい。
【００３６】
また、上記説明では、本発明にいう金属板の一例としてＳＵＳ板製のサスペンションが示されているが、本発明にいう金属板は、銅やアルミニウムなどといった他の金属製のものであってもよいし、ヘッドアームのうちサスペンションとして機能する部分以外の他の部分を構成するものであってもよい。
【００３７】
また、上記説明では、本発明にいうリードの一例として記録用リードと再生用リードが示されているが、本発明にいうリードは、再生信号と記録信号の双方が通るものであってもよい。
【００３８】
また、上記説明では、本発明にいう導線部の一例として、３層の導体パターンが積層されたものが示されているが、本発明にいう導線部は、導線が２層積層されたものであってもよく、あるいは４層以上積層されたものであってもよい。また、その３層の導体パターンには加熱用の導体パターンが含まれているが、本発明では加熱用導線は必須ではない。
【図面の簡単な説明】
【００３９】
【図１】本発明の一実施形態を示す図である。
【図２】サスペンション部分の拡大図である。
【図３】記録用リードおよび再生用リードの構造を概略的に示す断面図である。
【符号の説明】
【００４０】
１００    ハードディスクドライブ（ＨＤＤ）
１１０    ハウジング
１２０    回転軸
１３０    磁気ディスク
１４０    スライダ
１５０    アーム軸
１６０    アーム本体
１７０    アームアクチュエータ
１８０    サスペンション
１９１    記録用リード
１９２    再生用リード
１９３    グランドパターン
１９４    記録用の第２の導体パターン
１９５    記録用の第１の導体パターン
１９６    加熱用の導体パターン
１９７    再生用の第２の導体パターン
１９８    再生用の第１の導体パターン
【図１】
2007179626.tif 000003
【図２】
2007179626.tif 000004
【図３】
2007179626.tif 000005